(57)【特許請求の範囲】
【請求項１】
被加工動画像信号に施す画像変換の種別の選択設定が行われたことに呼応して、前記被加工動画像信号に対して選択設定された画像変換を施す画像変換処理回路と、
前記被加工動画像信号が第一の輝度信号範囲に含まれているか否かを示す信号を出力する第一ルミキー設定回路と、
前記第一ルミキー設定回路の出力信号が入力される第一反転回路と、
前記被加工動画像信号が前記第一の輝度信号範囲とは異なる第二の輝度信号範囲に含まれているか否かを示す信号を出力する第二ルミキー設定回路と、
前記第二ルミキー設定回路の出力信号が入力される第二反転回路と、
前記被加工動画像信号が第一の色信号領域に含まれているか否かを示す信号を出力する第一クロマキー設定回路と、
前記第一クロマキー設定回路の出力信号が入力される第三反転回路と、
前記被加工動画像信号が前記第一の色信号領域とは異なる第二の色信号領域に含まれているか否かを示す信号を出力する第二クロマキー設定回路と、
前記第二クロマキー設定回路の出力信号が入力される第四反転回路と、
前記第一反転回路、前記第二反転回路、前記第三反転回路及び前記第四反転回路の出力端子が接続される非加算混合回路と、
前記非加算混合回路の出力信号が入力されて低域通過濾波と信号整形とを行う濾波整形回路と、
前記被加工動画像信号の画像非処理領域をマスクするマスクパターンを出力するマスクパターン発生器と、
前記濾波整形回路の出力信号に前記マスクパターンを用いてマスク処理を行うマスク処理回路と、
前記被加工動画像信号と、前記画像変換処理回路の出力信号と、前記マスク処理回路の出力信号とに基づいて、特殊効果動画像信号を作成して出力するミクサ回路と
を有する特殊効果画像作成装置。
【発明の詳細な説明】
【０００１】
【発明の属する技術分野】
本発明は、被加工画像に画像処理を施すことにより、特殊効果画像を作成する特殊効果画像作成装置に関する。
【０００２】
【従来の技術】
被加工画像となる原画像のデータに加工を施すことにより、独自の視覚効果を与える特殊効果画像を作成することが、テレビ放映画像やその他各種の画像の作成に利用されている。これらの画像加工の種類には、画像データの階調数を減少させるポスタリゼーションやソラリゼーション、画像を均一濃度のブロックに分割するモザイク、画像を単色化するモノ、画像の輝度差を調整するコントラストなどの画像に対する各種の加工処理がある。
従来の特殊効果画像作成装置では、被加工画像に対して、画像変換処理回路で選択した前述したような各種の画像加工処理を施すと共に、マスクパターン発生器から、画像の非加工処理領域をマスクするマスクパターンを発生させ、このマスクパターンによって、画像の被加工処理領域をマスクすることにより、被加工画像の所定の加工領域に画像加工処理を施していた。
【０００３】
【発明が解決しようとする課題】
前述の従来の特殊効果画像作成装置では、装置に入力される被加工画像の入力画像の状態に無関係に、入力画像の予め設定した位置に対してマスクが行われるので、例えば、モザイク加工処理を行う場合に、入力画像が移動して画像中のマスクしたい画像部分が移動した場合には、オペレータは、その移動に対応してマスク条件をコントロールすることが必要で、調整操作上で受ける負担が大きかった。
また、従来から被加工画像の特定の色彩部分や輝度部分を加工対象とすることも行われているが、マスク形状の設定が複雑となり、マスクで必要な加工部分のみを的確に露出させて高精度の画像加工を行うことが難しかった。
【０００４】
本発明は、前述したような特殊効果画像作成の現状に鑑みてなされたものであり、その目的は、オペレータに調整操作上の負担を与えずに、入力画像に対して、輝度情報と色情報を含む画像加工処理を、画像の移動にも適確に対応して高精度で行い、視覚的に独自の輝度・色彩効果を与える特殊効果画像の作成を行うことが可能な特殊効果画像作成装置を提供することにある。
【０００５】
【課題を解決するための手段】
上記課題を解決するために、本発明の特殊効果画像作成装置は、被加工動画像信号に施す画像変換の種別の選択設定が行われたことに呼応して、被加工動画像信号に対して選択設定された画像変換を施す画像変換処理回路と、被加工動画像信号が第一の輝度信号範囲に含まれているか否かを示す信号を出力する第一ルミキー設定回路と、第一ルミキー設定回路の出力信号が入力される第一反転回路と、被加工動画像信号が第一の輝度信号範囲とは異なる第二の輝度信号範囲に含まれているか否かを示す信号を出力する第二ルミキー設定回路と、第二ルミキー設定回路の出力信号が入力される第二反転回路と、被加工動画像信号が第一の色信号領域に含まれているか否かを示す信号を出力する第一クロマキー設定回路と、第一クロマキー設定回路の出力信号が入力される第三反転回路と、被加工動画像信号が第一の色信号領域とは異なる第二の色信号領域に含まれているか否かを示す信号を出力する第二クロマキー設定回路と、第二クロマキー設定回路の出力信号が入力される第四反転回路と、第一反転回路、第二反転回路、第三反転回路及び第四反転回路の出力端子が接続される非加算混合回路と、非加算混合回路の出力信号が入力されて低域通過濾波と信号整形とを行う濾波整形回路と、被加工動画像信号の画像非処理領域をマスクするマスクパターンを出力するマスクパターン発生器と、濾波整形回路の出力信号にマスクパターンを用いてマスク処理を行うマスク処理回路と、被加工動画像信号と、画像変換処理回路の出力信号と、マスク処理回路の出力信号とに基づいて、特殊効果動画像信号を作成して出力するミクサ回路とを有する。
【０００６】
このような手段によると、被加工画像に対して、画像変換設定処理手段により、被加工画像に施される画像変換の種別の選択設定が行われ、被加工画像に対して選択設定された画像変換が施されると共に、ルミナンス・クロマ抽出条件設定手段により、被加工画像に対して、輝度信号に基づくルミナンス抽出条件、及び輝度信号と色信号に基づくクロマ抽出条件が設定され、マスクパターン発生手段から出力されるマスクパターンにより被加工画像の画像非処理領域がマスクされ、所定のルミナンス・クロマ抽出条件を満足する画像部分抽出のキー信号が出力される。
そして、ミクサー回路によって、被加工画像信号、画像変換設定手段の出力信号、及びキー信号に基づき、被加工画像に対して、選択された画像変換と所定のルミナンス・クロマ抽出条件に基づく画像部分の抽出とを含む画像処理が施されて、被加工画像が、所定画像部分が独自のルミナンス・クロマ条件で抽出され、独自の輝度・色彩の視覚効果を有する高品質の特殊効果画像に変換される。
【０００７】
同様に前記目的を達成するために、請求項２記載の発明は、請求項１記載の発明において、前記画像変換設定処理手段の前記画像変換の種別の選択設定、前記ルミナンス抽出条件及び前記クロマ抽出条件の設定、及び前記マスクパターン発生手段が発生するマスクパターンの設定・調整が、オペレータによりそれぞれ独立に操作自在に構成されていることを特徴とするものである。
【０００８】
このような手段によると、請求項１記載の発明での作用に加えて、オペレータによって、画像変換設定処理手段による画像変換種別の選択設定、ルミナンス・クロマ抽出条件設定手段によるルミナンス抽出条件とクロマ抽出条件の設定、及びマスクパターン発生手段によるマスクパターンの設定が、作成目的の特殊効果画像に対応させてそれぞれ自在に行われ、被加工画像の移動にも適切に対応して、目的の高品質の特殊効果画像が適確に作成される。
【０００９】
同様に前記目的を達成するために、請求項３記載の発明は、請求項１記載の特殊効果画像作成装置に対して、前記ルミナンス・クロマ抽出条件設定手段の出力信号にフイルタリング処理と信号整形処理とを施す濾波整形手段が設けられていることを特徴とするものである。
【００１０】
このような手段によると、請求項１記載の発明での作用に加えて、濾波整形手段によって、ルミナンス・クロマ抽出条件設定手段の出力信号にフイルタリング処理と信号整形処理とが施され、ルミナンス・クロマ抽出領域を広げ、境界線が滑らかに設定された高品質の特殊効果画像が作成される。
【００１１】
【発明の実施の形態】
以下に、本発明の一実施の形態を、図１ないし図６を参照して説明する。
図１は本実施の形態の要部の構成を示すブロック図、図２は本実施の形態の全体構成を示すブロック図、図３は本実施の形態の入力画像の輝度に対応するキー信号作成の説明図、図４は本実施の形態の入力画像の基準輝度以上または基準輝度以下の領域に対応するキー信号作成の説明図、図５は本実施の形態の入力画像の所定範囲の輝度領域に対応するキー信号作成の説明図、図６は本実施の形態の入力画像の色信号に対応するキー信号作成の説明図である。
【００１２】
本実施の形態では、図２に示すように、オペレータが各種の操作信号の入力を行うコントロールパネル２０が設けられ、このコントロールパネル２０に、全体の動作を制御するシステムＣＰＵ２１が接続され、このシステムＣＰＵ２１にプリビデオモディファイユニット２３が接続されている。
このプリビデオモディファイユニット２３には、図１に示すように、画像の輝度データに対して階調数を減少させるポスタリゼーション、画像の色データに対して階調数を減少させるソラリゼーション、画像を均一濃度のブロックに分割するモザイク、画像を単色化するモノ、画像の輝度差を調整するコントラストなどの画像変換処理を行う画像変換処理回路１と、画像に対して設定されるルミナンス抽出条件とクロマ抽出条件とを満足する画像を抽出するルミナンス・クロマ条件設定回路７、及び画像の非処理領域をマスクするマスクパターンを出力するマスクパターン発生器１４が含まれている。
【００１３】
また、システムＣＰＵ２１には、画像に対して行われる拡大・縮小処理、移動処理、ページターン処理に際して、対応するアドレスが出力供給されるアドレス発生器２２が接続され、このアドレス発生器２２が、前述の拡大・縮小処理などの処理を実行するトランスフォーメーション部２４に接続され、このトランスフォーメーション部２４の入力端子には、前述のプリビデオモディファイユニット２３の出力端子が接続されている。さらに、トランスフォーメーション部２４には、拡大・縮小処理などの処理の実行に使用されるマッピングメモリと、拡大・縮小処理などの処理に伴って、画像の斜め線などに発生するジャギーを除去するアンチフィリアスフィルタとが設けられている。
【００１４】
同様に、システムＣＰＵ２１にポストビデオモディファイ部２５が接続され、このポストビデオモディファイ部２５の入力端子には、前述のトランスフォーメーション部２４の出力端子が接続され、ポストビデオモディファイ部２５は、オペレータの選択操作によって、トランスフォーメーション部２４の出力信号に対して、画像の移動に際して尾状の移動軌跡や星屑状の移動軌跡を付加したり、画像にバックグランドを付加したりする機能を有している。
【００１５】
本実施の形態のプリビデオモディファイユニット２３の主要部は、図１に示すような構成となっていて、入力端子ｔｉに対して、画像の輝度データの階調数を減少させるポスタリゼーション、画像の色データの階調数を減少させるソラリゼーション、画像を均一濃度のブロックに分割するモザイク、画像を単色化するモノ、画像の輝度差を調整するコントラストなどの画像変換処理を行う画像変換処理回路１と、入力画像信号を遅延処理する遅延回路３と、画像の輝度と色彩とに基づいて、入力画像に対して画像処理を施すキー信号が出力されるキー信号発生部１５とが、互いに並列に接続されている。
そして、画像変換処理回路１の出力端子に遅延回路２が接続され、遅延回路２の出力端子が、ミクサ回路５の第１の入力端子に接続され、遅延回路３の出力端子がミクサ回路５の第２の入力端子に接続され、キー信号発生部１５の出力端子が、スイッチ１３及び遅延回路６を介してミクサ回路５の第３の入力端子に接続されており、このミクサ回路５は、遅延回路２の出力信号、遅延回路３の出力信号、及び遅延回路６の出力信号に基づいて、特殊効果画像を作成して対応する特殊効果画像信号を出力する機能を有している。
【００１６】
前述のキー信号発生部１５には、入力画像からオペレータが、画像の輝度及び色彩に基づいて設定するルミナンス・クロマ条件に対応する画像部分を抽出出力するルミナンス・クロマ条件設定回路７が設けられ、画像信号の入力端子ｔｉがこのルミナンス・クロマ条件設定回路７の入力端子に接続されている。
このルミナンス・クロマ条件設定回路７においては、入力端子ｔｉに対して、画像の輝度に基づく抽出ルミナンス条件が設定される複数のルミキー設定回路１６ａ〜１６ｍと、画像の輝度及び色彩に基づく抽出クロマ条件が設定される複数のクロマキー設定回路１８ａ〜１８ｎとが互いに並列に接続されている。
そして、ルミキー設定回路１６ａ〜１６ｍには、反転回路１７ａ〜１７ｍがそれぞれ接続され、クロマキー設定回路１８ａ〜１８ｎには、反転回路１９ａ〜１９ｎがそれぞれ接続され、反転回路１７ａ〜１７ｍ、１９ａ〜１９ｎの出力端子には、入力信号のレベルが重なると、レベルの高い方の信号を選択して出力するＮＡＭ回路９が接続され、ＮＡＭ回路９の出力端子がルミナンス・クロマ条件設定回路７の出力端子となっている。
【００１７】
ところで、キー信号発生部１５では、ルミナンス・クロマ条件設定回路７の出力端子には、ルミナンス・クロマ条件設定回路７の出力信号に対して、２次元の低域通過濾波と信号整形とを行う濾波整形回路８が接続され、濾波整形回路８の出力端子はスイッチ１１を介して反転回路１０に接続されている。また、反転回路１０の出力端子にはマスク処理回路１２が接続され、このマスク処理回路１２には、オペレータの操作により所望のマスクパターン信号が出力されるマスクパターン発生器１４に接続されており、マスク処理回路１２は、濾波整形回路８で信号処理されるルミナンス・クロマ条件設定回路７の出力信号を、マスクパターン発生器１４からのマスクパターン信号でマスク処理する機能を有している。
そして、マスク処理回路１２の出力端子が、スイッチ１３を介して遅延回路６に接続され、遅延回路６の出力端子がミクサ回路５の第３の入力端子に接続されている。
【００１８】
このような構成の本実施の形態の動作を説明する。
オペレータは、被加工画像に施そうとする画像処理に必要な指令操作信号を、コントロールパネル２０から入力するが、この指令操作信号には、プリビデオモディファイユニット２３の画像変換処理回路１の画像の輝度データの階調数を減少させるポスタリゼーション、画像の色データの階調数を減少させるソラリゼーション、画像を均一濃度のブロックに分割するモザイク、画像を単色化するモノ、画像の輝度差を調整するコントラストのそれぞれの画像変換処理を選択する画像変換指令が含まれている。同様に指令操作信号には、ルミナンス・クロマ条件設定回路７のルミナンス・クロマ条件指令、及びマスクパターン発生器１４から発生させるマスクパターンの形状と位置を指令するマスク指令が含まれている。さらに、コントロールパネル２０から入力される指令操作信号には、オペレータの選択で被加工画像に施される画像の指定部分の拡大・縮小、移動、回転の画像変形指令が必要に応じて含まれている。
【００１９】
ここで、オペレータが行うルミナンス・クロマ条件設定回路７のルミナンス・クロマ条件指令について説明する。
先ず、画像の輝度に基づく抽出ルミナンス条件を定めるルミキーの設定について説明する。
この場合の画像の輝度に基づく抽出ルミナンス条件の設定は、コントロールパネル２０に設けられている画像の輝度範囲（０〜１０）を示す表示板を備えたレベル設定器を、オペレータが操作して入力条件を設定することにより行われる。
【００２０】
図３（ａ）は被加工画像の入力画像信号の輝度レベルＬと時間ｔとの関係を示す特性図であり、入力画像信号から予め設定した所定レベルＬ４以上の輝度レベルの画像を抽出するキー信号としては、同図（ｂ）（３）に示すキー信号Ｆｋ３が出力される。
この場合は、図４（ａ）に示すように、入力画像の輝度レベル信号ｉｎと上限基準値ｃｌｉｐとの差値に増幅定数ｇａｉｎを乗じた出力レベル信号Ｏｕｔ＝（ｉｎ−ｃｌｉｐ）・ｇａｉｎを求め、Ｏｕｔ＜０であると、出力レベル信号Ｏｕｔ＝０とし、Ｏｕｔ＞１．０であると、出力レベル信号Ｏｕｔ＝１．０とするリミッタ回路によって、図３（ｂ）（３））に示すようなキー信号Ｆｋ３が得られる。
【００２１】
また、入力画像信号から予め設定した所定レベルＬ１以下の輝度レベルの画像を抽出するキー信号としては、図３（ｂ）（１）に示すキー信号Ｆｋ１が出力される。
この場合は、図４（ｂ）に示すように、入力画像の輝度レベル信号ｉｎと下限基準値ｍｉｎとの差値に増幅定数ｇａｉｎを乗じた出力レベル信号Ｏｕｔ＝（ｍｉｎ−ｉｎ）・ｇａｉｎを求め、Ｏｕｔ＜０であると、出力レベル信号Ｏｕｔ＝０とし、Ｏｕｔ＞１．０であると、出力レベル信号Ｏｕｔ＝１．０とするリミッタ回路によって、図３（ｂ）（１）に示すようなキー信号Ｆｋ１が得られる。
【００２２】
そして、入力画像信号から予め設定した所定のレベル範囲（Ｌ２＜Ｌ＜Ｌ３）の輝度レベルの画像を抽出するキー信号としては、図３（Ｂ）（２）に示すキー信号Ｆｋ２が出力される。
この場合は、図５（ａ）に示すように、設定するレベル範囲の上限値Ｌ３（ｃｌｉｐ）と下限値Ｌ２（ｍｉｎ）の中央値ｃｅｎｔｅｒを求め、同図（ｂ）に示すように、入力画像の輝度レベル信号ｉｎとｃｅｎｔｅｒとの差値の絶対値ＡＢＳ｛（ｉｎ−ｃｅｎｔｅｒ）｝を演算する。さらに、同図（ｃ）に示すように、ｃｌｉｐから入力画像の輝度レベル信号ｉｎとｃｅｎｔｅｒとの差値の絶対値ＡＢＳ｛（ｉｎ−ｃｅｎｔｅｒ）｝を減算し、減算値に増幅定数ｇａｉｎを乗じた出力レベル信号Ｏｕｔ＝［ｃｌｉｐ−ＡＢＳ｛（ｉｎ−ｃｅｎｔｅｒ）｝］・ｇａｉｎを演算する。
そして、Ｏｕｔ＜０であると、出力レベル信号Ｏｕｔ＝０とし、Ｏｕｔ＞１．０であると、出力レベル信号Ｏｕｔ＝１．０とするリミッタ回路によって、図３（ｂ）（２）に示すようなキー信号Ｆｋ２が得られる。
【００２３】
次に、画像の輝度及び色彩に基づく抽出クロマ条件を定めるクロマキーの設定について説明する。
この場合の画像の輝度及び色彩に基づく抽出クロマ条件を定めるクロマキーの設定は、コントロールパネル２０に、色度差信号（Ｂ−Ｙ）のＵ軸と色度差信号（Ｒ−Ｙ）のＶ軸との２軸平面上で、基準となる色度差信号軸からの境界角度の入力により、２次元的に抽出画像の色信号領域を設定する２次元クロマキー設定器が設けられている場合には、この２次元クロマキー設定器にオペレータが入力操作を行うことにより行われる。
或いは、コントロールパネル２０に、色度差信号（Ｂ−Ｙ）のＵ軸と色度差信号（Ｒ−Ｙ）のＶ軸との２軸平面上で、基準となる色度差信号軸からの境界角度を入力し、さらに基準位置からの設定距離によって、色信号の輝度Ｙをも設定して、３次元的に抽出画像の色信号領域を設定する３次元クロマキー設定器が設けられている場合には、この３次元クロマキー設定器にオペレータが入力操作を行うことにより行われる。
【００２４】
２次元クロマキー設定器により、抽出画像の色信号領域を設定する場合には、２次元クロマキー設定器に境界角度θ１、θ２を設定入力すると、図６（ａ）に示すように、色度差信号（Ｂ−Ｙ）のＵ軸と色度差信号（Ｒ−Ｙ）のＶ軸との２軸平面上で、色度差信号（Ｂ−Ｙ）のＵ軸からの境界角度信号が入力され、図６（ａ）に斜線で示すように、２次元的に抽出画像の色信号領域２６が選択され、この色信号領域２６内でクロマキー信号の論理値が“１”となり、色信号領域２６の外ではクロマキー信号の論理値が“０”となる。
また、３次元クロマキー設定器により、抽出画像の色信号領域を設定する場合には、２次元クロマキー設定器と同様に境界角度を設定し、さらに、基準位置からの設定距離によって、色信号の輝度Ｙを設定入力すると、図６（ｂ）に示すように、輝度Ｙも含む３次元空間座標に、例えば、Ｐ点を中心として半径ｒの球体の色信号領域２７が選択され、この色信号領域２７内で、クロマキー信号の論理値が“１”となり、色信号領域２７外で、クロマキー信号の論理値が“０”となる。
【００２５】
このようにして、画像の輝度に基づく抽出ルミナンス条件が設定される複数のルミキー設定回路１６ａ〜１６ｍから出力されるルミキー信号と、画像の輝度及び色彩に基づく抽出クロマ条件が設定される複数のクロマキー設定回路１８ａ〜１８ｎから出力されるクロマキー信号とは、それぞれ反転回路１７ａ〜１７ｍ、１９ａ〜１９ｎを介してＮＡＭ回路９に入力され、ＮＡＭ回路９によって、入力信号に重なり合う抽出条件が設定されている場合には、レベルの高い方が選択出力される。
ルミナンス・クロマ条件設定回路７の出力信号は、濾波整形回路８に入力されて、２次元の低域通過濾波と信号整形とが行われた後に、通常は端子ｔ３側に切換使用されるスイッチ１１を介して、マスク処理回路１２に入力される。このマスク処理回路１２には、オペレータの選択操作によって、所望のマスクパターン信号を出力するマスクパターン発生器１４からのマスクパターン信号が入力されるようになっていて、マスクパターン信号が入力されると、濾波整形回路８で信号処理されるルミナンス・クロマ条件設定回路７の出力信号は、該マスクパターン信号でマスク処理される。
マスク処理回路１２の出力信号は、通常は端子ｔ１側に切換使用されるスイッチ１３を介して、遅延回路６に入力される。
【００２６】
一方、オペレータによりコントロールパネル２０から入力される指令操作信号中の画像変換指令によって、例えば、プリビデオモディファイユニット２３の画像変換処理回路１の画像の輝度データの階調数を減少させるポスタリゼーションと、画像の色データの階調数を減少させるソラリゼーションとの画像変換処理が選択されていると、入力端子ｔｉからの入力画像信号にポスタリゼーションとソラリゼーションとの変換処理が施された画像信号が遅延回路２に入力され、同時に入力端子ｔｉからの入力画像信号が遅延回路３に入力される。
そして、マスク処理回路１２の出力信号が遅延回路６で遅延量が調整され、画像変換処理回路１の出力信号が遅延回路２で遅延量が調整され、入力画像信号が遅延回路３で遅延量が調整されて、互いに位相が一致された状態で、画像変換処理回路１の出力信号がミクサ回路５の第１の入力端子に、入力画像信号がミクサ回路５の第２の入力端子に、マスク処理回路１２の出力信号がミクサ回路５の第３の入力端子にそれぞれ入力される。
【００２７】
ミクサ回路５では、キー信号発生部１５から出力されるキー信号をＫとして、入力端子ｔｉの入力画像信号が、画像変換処理回路１で画像変換された変換画像信号Ａと、入力画像信号が遅延回路３を通過した画像信号Ｂとの差信号にＫが乗算され、この演算値に画像信号Ｂが加算され、ミクサ回路５からはビデオ信号Ｏｕｔ＝（Ａ−Ｂ）・Ｋ＋Ｂが出力される。
このビデオ信号は、図２に示すように、プリビデオモディファイユニット２３から、トランスフォーメーション部２４に入力されるが、オペレータがコントロールパネル２０から入力する指令操作信号に、例えば、被加工画像に施される画像の指定部分の縮小と移動の画像変形指令が含まれていると、システムＣＰＵ２１からの指令信号により、アドレス発生部２２から、縮小と移動のアドレス信号がトランスフォーメーション部２４に供給される。
そして、トランスフォーメーション部２４によって、画像の指定部分に対する縮小と移動の変形処理が施され、該変形処理が施された画像の斜め線部分などにジャギーが発生している場合には、アンチフィリアスフィルタによってジャギーが除去され、このように変形処理された画像信号がポストビデオモディファイ部２５に入力される。
【００２８】
この場合、オペレータの選択操作によって、トランスフォーメーション部２４の出力信号に対して、画像の移動に際して尾状の移動軌跡や星屑状の移動軌跡の付加や、バックグランドの付加が選択されていると、ポストビデオモディファイ部２５によって、画像の移動部分に尾状の移動軌跡や星屑状の移動軌跡が付加され、或いは、画像にバックグランドが付加され、最終的に画像処理された特殊効果画像がポストビデオモディファイ部２５から出力される。
【００２９】
このように、本実施の形態によると、オペレータの選択入力操作によって、画像変換処理回路１によって、画像データの階調数を減少させるポスタリゼーションやソラリゼーション、画像を均一濃度のブロックに分割するモザイク、画像を単色化するモノ、画像の輝度差を調整するコントラストの各画像変換処理が選択され、ルミナンス・クロマ条件設定回路７によって、画像の輝度に基づく抽出ルミナンス条件と、画像の輝度及び色彩に基づく抽出クロマ条件とが設定され、マスクパターン発生器１４から発生させるマスクパターンの形状と位置が選択される。そして、ミクサ回路５によって、選択された画像の一部に変換処理が施される。
【００３０】
そして、このビデオ信号に対して、トランスフォーメーション部２４で、例えば、縮小と移動の変形処理が施され、この変形処理に伴い発生するジャギーが除去され、ポストビデオモディファイ部２５で、必要に応じて画像の移動軌跡や星屑状の移動軌跡の付加、バックグランドの付加が行われるので、被加工画像に対して、簡単な操作によって視覚に輝度・色彩上で特異効果を与える特殊効果画像の作成が可能になる。
また、本実施の形態によると、被加工画像が移動しても、設定されたルミナンス・クロマ条件で抽出される画像部分は、自動的に被加工画像の移動に追従移動するので、特殊変換画像の視覚効果に生じる変化の防止が可能になる。また、ディスプレイの表示画像上に存在するルミナンス・クロマ条件が同一の複数の部分画像、例えば二つの顔画像の一方を、マスクパターン発生器１４からのマスクパターンの調整によって、広範囲にわたって簡単な操作で最小限面積のマスクにより、一つの顔画像のみを被加工画像にすることが可能になる。
【００３１】
さらに、被加工画像の移動で生じるマスク部の移動変化にも、広範囲にわたって迅速に高精度で追従対応することが可能になると共に、ルミナンス・クロマ条件設定回路７からの出力信号に、濾波整形回路８により境界領域が広げられ、またマスクパターン発生器１４からのマスクパターンが高精度で調整されるので、効果をかけたい部分を完全にカバーして加工することができる。例えば、境界を広げることにより、人の顔を完全に覆ったモザイクをかけて、人の顔の一部がそのままになって、モザイクが不完全になることが防止されると共に、マスク部分を最小限面積に抑えることにより、必要な領域に鮮明で輝度・色彩的に優れた視覚印象効果を与える特殊効果画像を簡単に作成することが可能になる。
【００３２】
【発明の効果】
請求項１記載の発明によると、被加工画像に対して、画像変換設定処理手段により、被加工画像に施される画像変換の種別の選択設定が行われ、被加工画像に対して選択設定された画像変換が施されると共に、ルミナンス・クロマ抽出条件設定手段により、被加工画像に対して、輝度信号に基づくルミナンス抽出条件、及び輝度信号と色信号に基づくクロマ抽出条件が設定され、マスクパターン発生手段から出力されるマスクパターンにより被加工画像の画像非処理領域がマスクされ、所定のルミナンス・クロマ抽出条件を満足する画像部分抽出のキー信号が出力される。そして、ミクサー回路によって、被加工画像信号、画像変換設定手段の出力信号、及びキー信号に基づき、被加工画像に対して、選択された部分に画像変換処理が施されて、被加工画像が特殊効果画像に変換される。
このために、被加工画像の所定の画像部分に特殊効果を持たせることが可能になり、独自の輝度・色彩上の視覚効果を有する高品質の特殊効果画像が、簡単に作成可能になると共に、画像の所定のルミナンス・クロマ抽出条件に基づく抽出部分が、被加工画像の移動に追従移動するために、被加工画像の移動による画像の視覚効果の変化を防止ことが可能になる。
【００３３】
請求項２記載の発明によると、請求項１記載の発明で得られる効果に加えて、画像変換設定処理手段による画像変換種別の選択設定、ルミナンス・クロマ抽出条件設定手段によるルミナンス抽出条件及びクロマ抽出条件の設定、及びマスクパターン発生手段によるマスクパターンの設定を、オペレータが、作成する特殊効果画像に対応させてそれぞれ自在に行うことが可能なので、オペレータは目的の高品質の特殊効果画像を適確に作成することが可能になると共に、マスターパターンの調整によって、被加工画像の移動に対しても簡単な操作で適確に対応することが可能になる。
【００３４】
請求項３記載の発明によると、請求項１記載の発明で得られる効果に加えて、濾波整形手段によって、ルミナンス・クロマ抽出条件設定手段の出力信号にフイルタリング処理と信号整形処理とが施されるので、ルミナンス・クロマ抽出領域の境界をより多様に設定でき、高品質の特殊効果画像の作成が可能になる。
【図面の簡単な説明】
【図１】本発明の１実施の形態の要部の構成を示すブロック図である。
【図２】同実施の形態の全体構成を示すブロック図である。
【図３】同実施の形態の入力画像の輝度に対応するキー信号作成の説明図である。
【図４】同実施の形態の入力画像の基準輝度以上または基準輝度以下の領域に対応するキー信号作成の説明図である。
【図５】同実施の形態の入力画像の所定範囲の輝度領域に対応するキー信号作成の説明図である。
【図６】同実施の形態の入力画像の色信号に対応するキー信号作成の説明図である。
【符号の説明】
１・・画像変換処理回路、２、３、６・・遅延回路、５・・ミクサ回路、７・・ルミナンス・クロマ条件設定回路、８・・濾波整形回路、９・・ＮＡＭ回路、１０・・反転回路、１２・・マスク処理回路、１４・・マスクパターン発生器、１５・・キー信号発生部、１６ａ〜１６ｍ・・ルミキー設定回路、１７ａ〜１７ｍ・・反転回路、１８ａ〜１８ｎ・・クロマキー設定回路、１９ａ〜１９ｎ・・反転回路、２０・・コントロールパネル、２１・・システムＣＰＵ、２２・・アドレス発生器、２３・・プリビデオモディファイユニット、２４・・トランスフォーメーション部、２５・・ポストビデオモディファイ部。
【図１】
0004900990.tif 000002
【図２】
0004900990.tif 000003
【図３】
0004900990.tif 000004
【図４】
0004900990.tif 000005
【図５】
0004900990.tif 000006
【図６】
0004900990.tif 000007